(57)【要約】【課題】その構造を複雑化することなく帯電防止を実現する。【解決手段】被測定体に押し当てられる接触子４が前端に装着された回転軸３を軸支する軸受ケース２２の下部に、斜め下後方に延長したアース部２２１を設ける。そして、アース部２２１をケース本体部１の下壁に設けられた孔に嵌め込んで、軸受ユニット２をケース本体部１に固定収容する。この状態において、アース部２２１の下面は、ケース本体部１の底面と連続した面を形成する形態で、ケース本体部１の底面から露出しており、計測時に作業者が回転計を握持すると、アース部２２１は作業者の手に接触し、作業者を介して接地する。そして、これにより、帯電した被計測体からの回転計の帯電保護が図られる。【選択図】図２
2008185386.tif 000002
【特許請求の範囲】
【請求項１】
手持ち操作されるハンドヘルド型回転計であって、
被測定体に接触させる接触子が先端に装着される回転軸と、
導電体で構成され、前記回転軸と電気的に導通した前記回転軸を軸支する軸受部と、
前記回転軸の回転速度を測定する回転速度測定部と、
前記回転速度測定部と前記軸受部とを収容したケースとを備え、
前記軸受部は、当該ケースから当該軸受部の一部を露出させた形態で、前記ケースに収容されており、当該軸受部の一部が露出している位置は、当該ハンドヘルド型回転計の使用時に使用者が前記ケースを握持した際に当該使用者の手が接触する位置であることを特徴とするハンドヘルド型回転計。
【請求項２】
手持ち操作されるハンドヘルド型回転計であって、
被測定体に接触させる接触子が先端に装着される回転軸と、
導電体で構成され、前記回転軸と電気的に導通した前記回転軸を軸支する軸受部と、
前記回転軸の回転速度を測定する回転速度測定部と、
前記回転速度測定部と前記軸受部とを収容したケースとを備え、
前記回転軸の先端が、前記ケースより前方に突出するように、前記軸受部は前記ケースに収容され、
前記ケースの上面には、前記回転速度測定部が計測した回転速度を表示する表示画面と、当該ハンドヘルド型回転計の使用者の操作を受け付けるキーとが配置され、
前記軸受部は、下部が後方に突出した形状を備え、
前記軸受部は、前記後方に突出した形状部分の下面が、当該ケースの下面から露出させた形態で、前記ケースに収容されていることを特徴とするハンドヘルド型回転計。
【請求項３】
手持ち操作されるハンドヘルド型回転計であって、
被測定体に接触させる接触子が先端に装着される回転軸と、
導電体で構成され、前記回転軸と電気的に導通した前記回転軸を軸支する軸受部と、
前記回転軸の回転速度を測定する回転速度測定部と、
前記回転速度測定部と前記軸受部とを収容したケースとを備え、
前記軸受部は、当該ケースから当該軸受部の一部を露出させた形態で、前記ケースに収容されており、
前記軸受部の前記ケースから露出している部分は、当該ハンドヘルド型回転計の使用者が前記ケースを握持する際に当該使用者の指を受け入れる窪みの少なくとも一部を形成していることを特徴とするハンドヘルド型回転計。
【請求項４】
手持ち操作されるハンドヘルド型回転計であって、
被測定体に接触させる接触子が先端に装着される回転軸と、
導電体で構成され、前記回転軸と電気的に導通した前記回転軸を軸支する軸受部と、
前記回転軸の回転速度を測定する回転速度測定部と、
前記回転速度測定部と前記軸受部とを収容したケースと、
前記ケースに脱着可能に収容されるバッテリと、
前記ケースに収容されたバッテリを覆うように前記ケースに脱着可能に装着される、導電性ある蓋とを備え、
前記蓋は、前記軸受部と接触するように前記ケースに装着されることを特徴とするハンドヘルド型回転計。
【請求項５】
手持ち操作されるハンドヘルド型回転計であって、
被測定体に接触させる接触子が先端に装着される回転軸と、
前記回転軸を軸支する軸受部と、
前記回転軸の回転速度を測定する回転速度測定部と、
前記回転速度測定部と前記軸受部とを収容したケースとを備え、
前記回転軸の先端が、前記ケースより前方に突出するように、前記軸受部は前記ケースに収容され、
前記ケースの上面は、後部部分よりも前部部分の高さが高く形成されており、かつ、前記前部部分と前記後部部分との間に、前記前部部分と後部部分を連結する、後部に向けて下方に傾斜した傾斜部分を有し、
前記ケースの上面の前記傾斜部分には、当該ハンドヘルド型回転計の使用者の操作を受け付ける、押し下げ式のキーが配置されていることを特徴とするハンドヘルド型回転計。
【発明の詳細な説明】
【技術分野】
【０００１】
本発明は、ハンドヘルド型回転計の構造に関するものである。
【背景技術】
【０００２】
ハンドヘルド型回転計としては、オペレータによって被計測体に当接される接触子が先端に装着された回転軸と、当該回転軸の回転速度を検出し表示する回転速度検出部とを備えたハンドヘルド型回転計が知られている（たとえば、特許文献１）。
【特許文献１】特開平6-18536号公報
【発明の開示】
【発明が解決しようとする課題】
【０００３】
さて、被計測体が帯電している場合、接触子、回転軸を介して生じるハンドヘルド型回転計の帯電によって、ハンドヘルド型回転計内部の回転速度検出部を構成する電子回路等に悪影響を与えることがある。
【０００４】
そこで、本発明は、ハンドヘルド型測定装置の帯電防止を、その構造を複雑化することなく実現することを課題とする。
【課題を解決するための手段】
【０００５】
前記課題達成のために本発明は、手持ち操作されるハンドヘルド型回転計に、被測定体に接触させる接触子が先端に装着される回転軸と、導電体で構成され、前記回転軸と電気的に導通した前記回転軸を軸支する軸受部と、前記回転軸の回転速度を測定する回転速度測定部と、前記回転速度測定部と前記軸受部とを収容したケースとを備え、前記軸受部を、当該ケースから当該軸受部の一部を露出させた形態で、前記ケースに収容したものである。ただし、当該軸受部の一部が露出している位置は、当該ハンドヘルド型回転計の使用者が前記ケースを握持した際に当該使用者の手が接触する位置とする。
【０００６】
このようなハンドヘルド型回転計によれば、ハンドヘルド型回転計の使用時に作業者がケースを握持すると、回転軸、軸受部は作業者を介して接地することになる。したがって、軸受部の一部をケースから露出させるだけの簡易な構成によって、帯電した被計測体からのハンドヘルド型回転計の帯電保護を図ることができる。
【０００７】
また、前記課題達成のために、本発明は、手持ち操作されるハンドヘルド型回転計に、被測定体に接触させる接触子が先端に装着される回転軸と、導電体で構成され、前記回転軸と電気的に導通した前記回転軸を軸支する軸受部と、前記回転軸の回転速度を測定する回転速度測定部と、前記回転速度測定部と前記軸受部とを収容したケースとを備え、前記回転軸の先端が、前記ケースより前方に突出するように、前記軸受部を前記ケースに収容し、前記ケースの上面に、前記回転速度測定部が計測した回転速度を表示する表示画面と、当該ハンドヘルド型回転計の使用者の操作を受け付けるキーとを配置したものである。ただし、前記軸受部は、下部が後方に突出した形状を備えたものであり、前記軸受部は、前記後方に突出した形状部分の下面が、当該ケースの下面から露出させた形態で、前記ケースに収容されているものである。
【０００８】
このようなハンドヘルド型回転計によっても、ハンドヘルド型回転計の使用時に、回転軸、軸受部を、作業者を介して接地することができ、軸受部の一部をケースから露出させるだけの簡易な構成によって、帯電した被計測体からのハンドヘルド型回転計の帯電保護を図ることができる。また、この構成によれば、ケースに収容される軸受部や回転速度計測部などの各部の配置の自由度を高めることができる。
また、前記課題達成のために、本発明は、手持ち操作されるハンドヘルド型回転計に、被測定体に接触させる接触子が先端に装着される回転軸と、導電体で構成され、前記回転軸と電気的に導通した前記回転軸を軸支する軸受部と、前記回転軸の回転速度を測定する回転速度測定部と、前記回転速度測定部と前記軸受部とを収容したケースとを備え、前記軸受部を、当該ケースから当該軸受部の一部を露出させた形態で、前記ケースに収容すると共に、前記軸受部の前記ケースから露出している部分が、当該ハンドヘルド型回転計の使用者が前記ケースを握持する際に当該使用者の指を受け入れる窪みの少なくとも一部を形成するようにしたものである。
【０００９】
このようなハンドヘルド型回転計によっても、軸受部の一部をケースから露出させるだけの簡易な構成によって、帯電した被計測体からのハンドヘルド型回転計の帯電保護を図ることができる。また、この構成によれば、ハンドヘルド型回転計の使用時に作業者の手と軸受け部を確実に接触させることができるようになる。
【００１０】
また、前記課題達成のために、本発明は、手持ち操作されるハンドヘルド型回転計に、被測定体に接触させる接触子が先端に装着される回転軸と、導電体で構成され、前記回転軸と電気的に導通した前記回転軸を軸支する軸受部と、前記回転軸の回転速度を測定する回転速度測定部と、前記回転速度測定部と前記軸受部とを収容したケースと前記ケースに脱着可能に収容されるバッテリと、前記ケースに収容されたバッテリを覆うように前記ケースに脱着可能に装着される、導電性ある蓋とを備え、前記蓋が、前記軸受部と接触するように前記ケースに装着されるように構成したものである。
【００１１】
このようなハンドヘルド型回転計によれば、蓋をハンドヘルド型回転計の使用時に作業者がケースを握持した際に接触するように配置することにより、ハンドヘルド型回転計の使用時に回転軸、軸受部を、蓋、作業者を介して接地することができる。したがって、軸受部ろ蓋を、蓋の装着時に接触するように配置するだけの簡易な構成によって、帯電した被計測体からのハンドヘルド型回転計の帯電保護を図ることができる。
【００１２】
ここで、併せて本発明は、手持ち操作されるハンドヘルド型回転計として、被測定体に接触させる接触子が先端に装着される回転軸と、前記回転軸を軸支する軸受部と、前記回転軸の回転速度を測定する回転速度測定部と、前記回転速度測定部と前記軸受部とを収容したケースとを備えたハンドヘルド型回転計を提供する。ただし、前記回転軸の先端が、前記ケースより前方に突出するように、前記軸受部は前記ケースに収容されており、前記ケースの上面は、後部部分よりも前部部分の高さが高く形成されており、かつ、前記前部部分と前記後部部分との間に、前記前部部分と後部部分を連結する、後部に向けて下方に傾斜した傾斜部分を有し、前記ケースの上面の前記傾斜部分には、当該ハンドヘルド型回転計の使用者の操作を受け付ける押し下げ式のキーが配置されているものである。
【００１３】
このようなハンドヘルド型回転計によれば、キーに対する作業者の操作は、キーを斜め前方に押し出す操作となる。したがって、作業者は、指でキーを押し下げながら、自然な形態で、接触子を被計測体に押し当てることができるようになる。
【発明の効果】
【００１４】
以上のように、本発明によれば、ハンドヘルド型測定装置の帯電防止を、その構造を複雑化することなく実現することができる。
【発明を実施するための最良の形態】
【００１５】
以下、本発明の実施形態を説明する。
図１に、本実施形態に係る回転計の外観を示す。
図中、ａが回転計の前面を、ｂが回転計の上面を、ｃが回転計の後面を、ｄが回転計の右側面を、ｅが回転計の左側面を、ｆが回転計の底面を表しており、図中、ｇが回転計を上方より斜視したようすを、ｈが回転計を下方より斜視したようすを表している。また、図中、ｊは、図中ａの上面における断面線ＡＡによる断面図を表している。
【００１６】
図示するように、回転計は、主として、ケース本体部１とケース蓋部１１とより構成されるケースと、軸受ユニット２、回転軸３、接触子４、円盤５、電子回路基板６、複数のキートップ７、バッテリ８、複数の交換用接触子９より構成される。
また、接触子４は回転軸３の前端に脱着可能に装着され、回転軸３の後端に円盤５が固定されている。そして、回転軸３は軸受ユニット２によって回動可能に軸支され、軸受ユニット２はケース本体部１の内部に、一部をケース本体部１の底面に露出した収容、固定されている。そして、回転軸３の後端に固定される円盤５には、周方向に並んだ複数のスリットが設けられている。ここで、接触子４は、計測時に、作業者によって被計測体の回転軸３に押し当てられる部分であり、この当接によって、接触子４、回転軸３、円盤５は、被計測対と同じ回転速度で回転することになる。
【００１７】
また、複数のキートップ７は、ケース本体部１の上面に操作面が露出するようにケース本体部１の上壁の裏面に組み付けられている。ここで、ケース本体部１の上面は、前部部分が後部部分よりも上方に高くなる段差形状を有し、この段差形状の段差は後部が前部よりも低くなる傾斜を有するテーパ部分で連結されている。そして、このテーパ部分に、キートップ７は配置されており、キートップ７を押し下げる作業者の操作は、キートップ７を斜め前方に押し出す操作となる。したがって、作業者は、指でキートップ７を押し下げながら、自然な形態で、接触子４を被計測体に押し当てることができるようになる。
【００１８】
次に、バッテリ８と交換用接触子９は、それぞれケース本体部１に設けられた収容室に脱着可能にケース蓋部１１で覆われた形態で収容されており、ケース本体部１とケース蓋部１１で、回転計のケースが構成されている。ここで、ケース蓋部１１には、計測時に、作業者の指を受け入れて、作業者が安定的に回転計を握持できるようにする凹みが、窪部１１１として形成されている。
【００１９】
また、電子回路基板６には、表示装置６１、キートップ７の押し下げ操作により作動するスイッチ６２、円盤５の回転量を検出する回転センサ６３は搭載されている。また、電子回路基板６には、スイッチ６２を介して受け付けたオペレータの操作に応じて、回転センサ６３の検出内容に基づく回転軸３の回転速度の演算や、演算した回転速度の表示装置６１への表示を行う制御回路６４も搭載されている。なお、回転センサ６３は、光源と光センサより構成され、光源より光を円盤５に投射すると共に円盤５のスリットを通過した通過光を光センサで検出する。そして、制御回路６４は、光センサで検出した通過光のオン／オフの周期より回転軸３の回転速度、したがって、被計測体の回転速度を演算する。
【００２０】
そして、このような電子回路基板６は、搭載した表示装置６１の表示画面がケース本体部１の上面に露出し、搭載したスイッチ６２がキートップ７の押し下げ操作により作動するようにキートップ７の真下の位置となり、搭載した回転センサ６３の光源と光センサが、回転軸３の後端に固定された円盤５を間に挟んで対向する位置となるように、ケース本体部１の内部に、収容、固定されている。
【００２１】
次に、図２ａ、ｂ、ｃに、回転軸３を軸止する軸受ユニット２の構造を示す。
図中、ａは軸受ユニット２を上方より斜視したようすを、図中ｂは軸受ユニット２を下方より斜視したようすを、図中ｃは図１ａの断面線ＡＡによる断面図を表している。
図示するように、軸受ユニット２は、後端に円盤５が固定された回転軸３を軸支するボールベアリング２１と、これを固定収容した軸受ケース２２とより構成されている。ここで、ボールベアリング２１のボールと内外輪は、各々導電性ある材質、たとえば、金属を用いて形成されている。また、軸受ケース２２も、導電性ある材質、たとえば、カーボン繊維強化プラスチックを用いて形成されている。
【００２２】
そして、図示するように軸受ケース２２の下部には斜め下後方に延長したアース部２２１が設けられており、図２ｄに示す、回転計の図１ａの断面線ＡＡによる断面の拡大図、図２ｅに示す回転計の底面の拡大図に示すように、このアース部２２１が、ケース本体部１の下壁に設けられた孔に嵌り込んだ状態で、軸受ユニット２はケース本体部１に固定収容される。なお、図２ｄ、ｅでは、以上のようにして電気的に接続される回転軸３、軸受ユニット２の部分を斜線の網掛で示している。ここで、接触子４は、用途に応じて、金属などの導電性ある材質で形成することも、合成ゴムなどの絶縁性ある材質で形成することもでき、導電性ある材質で形成した接触子４を用いる場合、回転軸３、軸受ユニット２に加え接触子４も電気的に接続されることになる。
【００２３】
さて、このように、軸受ケース２２がケース本体部１に固定、収容された状態において、アース部２２１の下面は、ケース本体部１の底面と連続した面を形成する形態で、ケース本体部１の底面から露出しており、計測時に作業者が回転計を握持すると、アース部２２１は作業者の手に接触することになる。したがって、計測時に、軸受ユニット２は、作業者を介して接地することになり、回転軸３も、軸受ユニット２、作業者を介して、接地されることになる。したがって、計測時に接触子４を接触させた被計測体が帯電していた場合でも、その静電気によって電子回路基板６に悪影響を被ることはない。
【００２４】
そして、これにより、帯電した被計測体からの回転計の帯電保護が図られることになる。
以上、本発明の実施形態について説明した。
以上のように、本実施形態によれば、軸受ユニット２の一部を、ケース本体部１から露出させるだけの簡易な構造によって、被計測体からの回転計の帯電保護を実現することができる。
ところで、図３ａ１に示す、回転計の図１ａの断面線ＡＡによる断面の拡大図、図３ａ２に示す回転計の底面の拡大図に示すように、本実施形態に係る回転計では、ケース蓋部１１は取り付け時に前部が軸受ユニット２のアース部２２１と接触することになる。そこで、このケース蓋部１１を導電性を有する材質で形成し、軸受ユニット２のアース部２２１とケース蓋部１１が電気的に接続するように構成してもよい。ただし、この場合には、ケース蓋部１１の上面に絶縁材１１２を貼り付けるなどの適当な手法によりバッテリ８とケース蓋部１１との間に確実に絶縁が確保されるようにする。なお、図３ａ１、ａ２では、以上のようにして電気的に接続される回転軸３、軸受ユニット２、ケース蓋部１１の部分を斜線の網掛で示している。
【００２５】
または、図３ｂ１に示す、回転計の図１ａの断面線ＡＡによる断面の拡大図、図３ｂ２に示す回転計の底面の拡大図に示すように、ケース蓋部１１を他の位置に移動し、前述した計測時に作業者の指を受け入れて、作業者が安定的に回転計を握持できるようにするための窪部１１１をケース蓋部１１に代えてケース本体部１の底面に設け、この窪部１１１の一部を構成するように、軸受ユニット２のアース部２２１を、より後方に延長して、ケース本体部１の底面より露出させるようにしてもよい。なお、図３ｂ１、ｂ２では、以上のようにして電気的に接続される回転軸３、軸受ユニット２の部分を斜線の網掛で示している。
【００２６】
これら図３ａ、ｂに示すように構成することにより、回転計の使用時に、作業者の手とアース部２２１とを、より確実に電気的に接続することができるようになる。
【図面の簡単な説明】
【００２７】
【図１】本発明の実施形態に係るハンドヘルド型の回転計の構成を示す図である。
【図２】本発明の実施形態に係るハンドヘルド型の回転計の軸受ユニットの構造と配置を示す図である。
【図３】本発明の実施形態に係るハンドヘルド型の回転計の他の構成例を示す図である。
【符号の説明】
【００２８】
１…ケース本体部、２…軸受ユニット、３…回転軸、４…接触子、５…円盤、６…電子回路基板、７…キートップ、８…バッテリ、９…交換用接触子、１１…ケース蓋部、２１…ボールベアリング、２２…軸受ケース、６１…表示装置、６２…スイッチ、６３…回転センサ、６４…制御回路、１１１…窪部、１１２…絶縁材、２２１…アース部。
【図１】
2008185386.tif 000003
【図２】
2008185386.tif 000004
【図３】
2008185386.tif 000005